(57)【要約】【課題】道路上における、生活用ゴミの箱となり、折りたたみが容易に行われ立て掛けられ嵩張らない、これを用いた生活用ゴミ仮設ステーションを提供する。【解決手段】歩道上の何処にでも簡単に設置でき折りたたみ式で立て掛けられる床固定板に取り付けた後立支柱９．に本体の後立支柱７．を差し込み後部横支柱１２．を後部支柱７．の頭部に溶接で処理して止める。後部天蓋を後部横支柱１２．にビニロックで縛り付ける。折りたたみ式左右支柱２．の内側壁四方にネット網目状を装着され左右支柱２．を内側に折り曲げると同時にネット網目状がたたまれる。前部床部材を持ち上げると本体を立て掛けられる。また、後部支柱７．が内側に折り曲げられる。使用の場合はまず天蓋を後部支柱側へ捲って前部床材を倒し、右、左、横支柱を９０°起こすことによって内側に張られたネット網目状が開く。天蓋になる横支柱８ｂ．を本体８ａ．に差し込んで天蓋になるように固定する。【選択図】　　　　図１．
2004091202.tif 000002
【特許請求の範囲】
【請求項１】
歩道上に置かれている生活ゴミを入れる箱状のもので、左右支柱と後立支柱が折りたたみ式であって立て掛けられ床部材には、メッシュ状の部材と支柱の内側四方と蓋になる部材は網目状のネットから成る物であって立て掛けられる部材には床固定板と、後部支柱差し込み棒で形成され、本体折たたみ後部支柱を差し込み棒へ差し込む事によって一体化し、折り曲げて立て掛けられ嵩ばらない事を特徴とする生活用ゴミ仮設ステーション。
【請求項２】
前記後立支柱部材にＬ字型パイプを差し込んで床固定板に固定するための後立支柱部材であることを特徴とする請求項１記載の生活用ゴミ仮設ステーション。
【請求項３】
前記生活用ゴミ仮設ステーションの部材には、プラスチック、アルミ、ステンレス、と網目状ネットの部材から成ることを特徴とする請求項１記載の生活用ゴミ仮設ステーション。
【請求項４】
前記生活用ゴミ仮設ステーションの蓋状に成るネットに前後、横支柱を縛り付けて凹型に差し込んで蓋に成ることを特徴とする請求項１．２または３．記載の生活用ゴミ仮設ステーション。
【請求項５】
前記生活用ゴミ仮設ステーションのネット網目状は脱着式であることを特徴とする請求項１．２．３．または４．記載の生活用ゴミ仮設ステーション。
【請求項６】
前記生活用ゴミ仮設ステーションの蓋部材には前から後へ開いてゴミの回収を容易にできることを特徴とする請求項１．２．３．４．または５．記載の生活用ゴミ仮設ステーション。
【請求項７】
前記生活ゴミ仮設ステーションは、折りたたみ式で使用後にはＬ字型に立て掛けられ嵩張らないこと設置場所を問わずゴミステーションの大きさを可変することができることを特徴とする請求項１．２．３．４．５．または６．記載の生活用ゴミ仮設ステーション。
【発明の詳細な説明】
【０００１】
【発明の属する技術分野】
本発明は、仮設ゴミ置き場に使われ簡単に設置でき、場所を選ばず折りたたみ式で立て掛けられる物に関する。
【０００２】
【従来の技術】
従来のゴミ収容箱は分解組み立て型、スライド型と色々あるが置き場所を選ぶ性質の物や組み立て型と非常に手間がかかる等の問題があった。
【０００３】
【発明が解決しようとする課題】
しかしながら従来のゴミ収容箱は非常に手間がかかる問題があった。本発明のゴミ収容箱は簡単に折りたたみが出来て立て掛けられ、場所を選ばないことを特徴とする。
【０００４】
そこで本発明の目的は、簡便な方法で歩道上の生活ゴミを収容でき道路の美観を損ねることなく、カラス、ネコなどに荒させないことを提供することにある。
【０００５】
【課題を解決するための手段】
本発明は、上記目的を達成するために次の構成を備える。すなわち本発明は、歩道上における生活ゴミをカラス、ネコなどに荒らされることなく、長方形のネット部材と、蓋になる横支柱とで箱状になることと、折りたたみ式になることを特徴とする。このことにより確実に箱型のネット部材の中に生活ゴミを収納されるものである。
【０００６】
【実施例】
次に本発明の実施例を図面に基づいて説明する。図１．は本発明の実施例を示す斜視図であり、その内側の壁状になる部分に網目状ネット１３ａ．が張られ天蓋になる１３ｂ．は後立支柱７．に接続された後部横支柱１２．にビニロック１４．で連結されている。
【０００７】
網目状ネット１３ａ．はゴミステーション本体の下端６ａ．四方と上端６ａ．四方に網目状ネット６ｂ．をビニロック１４．で連結されている。また、天蓋に設けられた前後横支柱１２．を固定されるため凹状部材８ａ．に天蓋横支柱の凸状部材８ｂ．を差込んで固定する。
【０００８】
網目状ネット天蓋部材の左右、前部分には垂れを設けその淵に錘状になるロープ１５．をあらかじめ網目状ネット内側に縫い付けておくことによって伸縮し得えるネット１３ｂ．を張設されている。
【０００９】
図１．に示している網目状ネット１３ａ．１３ｂ．は脱着式であることは図示していないが長時間使用する間、破損する可能性がでる。それを簡単に着脱できるよう構成されていることを特徴とすると共にゴミステーションのサイズに合わせて形成されている。
【００１０】
図１．に示してある左右支柱２．は足元中央の上下ストッパー４．を上げると内側へ倒すことが出来ると同時に内側に張られた網目状ネットもたたまれ床部材５．を持ち上げると後部支柱９．に立て掛けられて止め具１９．で後部横支柱１２．に止めて固定できることを特徴とする。
【００１１】
図１．に示してある左右支柱にある中心棒１１．は左右支柱２．を支えるための中心棒。図１．に示してある３．は折り曲げられるための蝶番、あるいは馬蹄形でも良い。
【００１２】
図１．に示してある床メッシュ５．は拡大穴になってゴミ箱の掃除が容易に行われるよう構成されている。ゴミ箱本体の足元と床固定板１０．に高さ調節ネジ１８．を設けゴミ箱本体を水平に保てるようになっている。
【００１３】
図１．に示してある後立支柱７．は後立支柱９．より太めで後立支柱９．を差し込めるように形成されていることによって後立支柱に立て掛けられる。また後立支柱７．も本体１．の内側へ倒され持ち運びが簡単にできるようになる。
【００１４】
図３．に示してある網目状ネット１３ａ．は本体５．と左右支柱２．の間に挟まれた状態である１３ｂ．は天蓋を後部へ揆った絵図にある。また、立て掛けられた状態で前方へ揆って掛けておいても良い。
【００１５】
図４．に示してある天蓋１３ｂ．の後部側はあらかじめ後部横支柱１２．にビニロック１４．で固定されているため一体化されたものである。また図５．に示された網目状ネット１３ａ．は着脱できるよう形成されている。
【００１６】
図６．に示してある床固定板１０．と９．は本体１．を支えるための重要な役割を果たすものであるから、鉄製の素材で重量をもたらす物体にするため持ち運びの取っ手１７．を設けるものにする。
【００１７】
図６．に示してある後立支柱９．の半回転部分は図示していないが、床固定板１０．に後立支柱９．のＬ字形部分が差込まれ半回転して蝶ネジ１６．で固定される。また、持ち運びのため後立支柱９．が床固定板１０．の後側へ倒して蝶ネジ１６．で止められるよう形成されている。
【００１８】
また、前支柱の内側に箱状ネット部材を内支柱の上下に縛り付けて固定するための線状部材からなり、頭部蓋部材を後立支柱部から被せて蓋になることを特徴としさらに簡単な構成でネット部材が前立支柱部に固定される。
【００１９】
６ａ．６ｂ．は前記ゴミ箱本体の内側に網目状ネット１３ａ．を装着するための穴で網目状ネットも同じ位置に穴が設けられている。７．は後立支柱部材で床固定板１０．に装着される後立支柱９．を差し込める。８ａ．は蓋板の８ｂ．と噛み合わされる。
【００２０】
９．は前記ゴミ箱本体の７．に差し込める。１０．はゴミ箱本体を支える固定板。１１．は左右支柱を支える中心棒。１２．は蓋板になる前後に装着する横支柱棒。１３．はゴミ箱本体の内側に張られる網目状ネット。１４．は網目状ネットを縛るビニロック。
【００２１】
１５．は前記ゴミ箱本体の蓋板になるネットの淵に張られるロープ。１６．は床固定板１０．と後立支柱差し込み棒９．とを半回転させながら装着させる蝶ネジ。
【００２２】
本発明の実施例は、上述の如き構成からなるものであるから、ゴミ箱本体１．を狭い場所でも使用できることは勿論であるが、簡単に折りたためＬ字型固定板に立て掛けられ嵩張らないことが特徴である。
【００２３】
この生活用ゴミステーションは床固定板に付けられたＬ字型９．を９０°起こし蝶ネジで止める。本体の後立支柱７．を９．に差し込み天蓋を後方へ揆って本体を前方に倒す。左右支柱２．を９０°起こすと内側に張られた網目状ネットが張られ天蓋を前方へ被せる。また、折りたたむ場合もこれの逆にするだけの簡単な生活用ゴミステーション。
（床固定板１０．とＬ字型９．は固定したままで良い。）
【００２４】
生活用ゴミステーション１．のサイズのそれに伴う、折りたたみ式横支柱の位置はそれぞれのサイズに合わせて種々設計変更され更にネット網目状部材留め金具等の形状材料及び位置などについても限定されるものではない。
以上、本発明につき好適な実施例を挙げて種々説明してきたが、本発明は、この実施例に限定されるものではなく発明の精神を逸脱しない範囲内で多くの改革を施し得るのは勿論の事である。
【００２５】
【発明の効果】
本発明による、生活用ゴミ仮設ステーションを簡単な方法で設置するだけで、外部から見にくくゴミが綺麗に収容され、使用後には折りたたんでＬ字型固定板に立て掛けられ嵩張らない。また、ゴミの煩わしさからも解消されるとともにカラスや猫などに荒らされることもなく、道路の美観を損ねることもない。このことにより確実に箱型のネット部材の中に生活ゴミを収納させる。
【００２６】
また、請求項７．に記載の発明によれば上記請求項１．に記載の発明の効果に加えて設置場所を問わずゴミステーションの大きさを可変することができ、効果が得られることが大きな特徴である。
【図面の簡単な説明】
【図１】本発明の一実施形態である生活用ゴミステーションの斜視図である。
【図２】本発明の一実施形態である生活用ゴミステーションの側面図である。
【図３】図１．に示された実施の形態の折りたたんだ斜視図である。
【図４】図１．に示した本発明による生活用ゴミステーションの蓋の平面図である。
【図５】図１．に示した内側に張られる網目状ネットの斜視図である。
【図６】図１．に示された後立部分と床面に固定された斜視図である。
【符号の説明】
１．ゴミステーション本体
２．折りたたみ左右支柱
３．折りたたみ部分
４．上下ストッパー
５．メッシュ式金網
６．ネット止穴
７．折りたたみ後部支柱
８．蓋板止め凹穴
９．後部支柱差し込み棒
１０．固定板
１１．中心横支柱
１２．蓋板横支柱
１３．網目ネット
１４．ビニロック
１５．ネット淵ロープ
１６．蝶ネジ
１７．取っ手
１８．高さ調節ネジ
１９．留め具
【図１】
2004091202.tif 000003
【図２】
2004091202.tif 000004
【図３】
2004091202.tif 000005
【図４】
2004091202.tif 000006
【図５】
2004091202.tif 000007
【図６】
2004091202.tif 000008